(57)【要約】  カートンが、開封時に、カートン内に保管されている容器又は他の物品に容易にアクセスできるようにするディスペンサセクションを有する。カートンは、冷蔵庫内のドア棚部又は他の棚部に載置できるように構成されることができる。
2008532872.tif 000002
【特許請求の範囲】
【請求項１】
カートン、及びその内部に収容された複数の物品であって、該カートンは、
ボトムパネルと、
第１の下側サイドパネル及び第１の上側サイドパネルを有する第１のサイドパネルと、
第２の下側サイドパネル及び第２の上側サイドパネルを有する第２のサイドパネルと、
トップパネルと、
第１の端部パネルと、
第２の端部パネルと
を有し、ディスペンサパターンが、少なくとも該第１の上側サイドパネル、該トップパネル及び該第２の上側サイドパネル内にディスペンサセクションを画定する、カートン。
【請求項２】
前記ディスペンサパターンは、前記第１の上側サイドパネルを前記第１の下側サイドパネルに接続する第１の折り線に沿って、又はそれに隣接して延びる第１の横方向引き裂き線を有する、請求項１に記載のカートン。
【請求項３】
前記ディスペンサパターンは、前記第２の上側サイドパネルを前記第２の下側サイドパネルに接続する第２の折り線に沿って延びる第２の横方向引き裂き線を有する、請求項２に記載のカートン。
【請求項４】
前記ディスペンサパターンは、前記第１の上側サイドパネル内に開封セクションを画定する複数の開封線を有する、請求項３に記載のカートン。
【請求項５】
前記開封セクションは、前記第１の折り曲げ線に隣接している、請求項４に記載のカートン。
【請求項６】
前記ディスペンサパターンは、前記カートンの第１の上縁部に沿って延びる第１の縦方向引き裂き線と、該カートンの第２の上縁部に沿って延びる第２の縦方向引き裂き線とを有する、請求項３に記載のカートン。
【請求項７】
前記第１の端部パネルは、第１のダイヤモンド形コーナで前記第１のサイドパネルに接続され、且つ第２のダイヤモンド形コーナで前記第２のサイドパネルに接続される、請求項３に記載のカートン。
【請求項８】
前記ディスペンサパターンは、前記第２の上側サイドパネル内に開封セクションを画定する複数の開封線を有する、請求項２に記載のカートン。
【請求項９】
前記開封セクションは、前記トップパネルに隣接している、請求項８に記載のカートン。
【請求項１０】
前記ディスペンサパターンは、前記カートンの第１の上縁部に沿って延びる第１の縦方向引き裂き線と、該カートンの第２の上縁部に沿って延びる第２の縦方向引き裂き線とを有する、請求項８に記載のカートン。
【請求項１１】
前記第１の端部パネルは、第１のダイヤモンド形コーナで前記第１のサイドパネルに接続され、且つ第２のダイヤモンド形コーナで前記第２のサイドパネルに接続される、請求項８に記載のカートン。
【請求項１２】
前記ディスペンサセクションは、前記第１の端部パネル内にさらに画定される、請求項１に記載のカートン。
【請求項１３】
前記ディスペンサパターンは、前記第１のサイドパネルの端から端まで延びる第１の斜め引き裂き線と、前記第２サイドパネルの端から端まで延びる第２の斜め引き裂き線とを有する、請求項１２に記載のカートン。
【請求項１４】
前記ディスペンサパターンは、前記トップパネルの端から端まで延びると共に前記第１の斜め引き裂き線及び前記第２の斜め引き裂き線を接続するトップ引き裂き線を有する、請求項１３に記載のカートン。
【請求項１５】
前記ディスペンサセクションは、前記トップパネル内へ長さＬだけ延びており、前記カートンの長さはＬＣであり、Ｌ／ＬＣは少なくとも０．２である、請求項１２に記載のカートン。
【請求項１６】
前記第１の端部パネルは、第１のダイヤモンド形コーナで前記第１のサイドパネルに接続され、且つ第２のダイヤモンド形コーナで前記第２のサイドパネルに接続される、請求項１２に記載のカートン。
【請求項１７】
前記第１の端部パネルは、第１のダイヤモンド形コーナで前記第１のサイドパネルに接続され、且つ第２のダイヤモンド形コーナで前記第２のサイドパネルに接続される、請求項１に記載のカートン。
【請求項１８】
前記ボトムパネルは、前記トップパネルより幅広である、請求項１７に記載のカートン。
【請求項１９】
前記ディスペンサパターンは、前記第１の上側サイドパネル内に開封セクションを画定する複数の開封引き裂き線を有し、該開封セクションは、前記第１のサイドパネルの長さに沿って測定した幅が、該第１のサイドパネルの該長さの少なくとも約０．４倍である、請求項１８に記載のカートン。
【請求項２０】
前記ディスペンサパターンは、前記第２の上側サイドパネル内に開封セクションを画定する複数の開封引き裂き線を有し、該開封セクションは、前記第２のサイドパネルの長さに沿って測定した幅が、該第２のサイドパネルの該長さの少なくとも約０．４倍である、請求項１８に記載のカートン。
【請求項２１】
前記ディスペンサパターンは、前記第１の上側サイドパネル内に開封セクションを画定する複数の開封引き裂き線を有し、該開封セクションは、前記第１のサイドパネルの長さに沿って測定した幅が、該第１のサイドパネルの該長さの少なくとも約０．４倍である、請求項１に記載のカートン。
【請求項２２】
前記ディスペンサパターンは、前記第２の上側サイドパネル内に開封セクションを画定する複数の開封引き裂き線を有し、該開封セクションは、前記第２のサイドパネルの長さに沿って測定した幅が、該第２のサイドパネルの該長さの少なくとも約０．４倍である、請求項１に記載のカートン。
【請求項２３】
前記第１の端部パネル内に形成された第１のハンドルと、前記第２の端部パネル内に形成された第２のハンドルとをさらに有する、請求項１に記載のカートン。
【請求項２４】
請求項１に記載のカートンを開封する方法であって、
前記第１の上側サイドパネルのほぼ全体が前記カートンの残り部分から少なくとも部分的に引き裂かれて離れるように、前記ディスペンサセクションを引っ張ること、
前記トップパネルのほぼ全体が該カートンの残り部分から少なくとも部分的に引き裂かれて離れるように、前記ディスペンサセクションを引っ張ること、及び
前記第２のサイドパネルの一部分が該カートンの残り部分から少なくとも部分的に引き裂かれて離れるように、前記ディスペンサセクションを引っ張ること
を含む、カートンを開封する方法。
【請求項２５】
カートンを形成するブランクであって、
ボトムパネルと、
第１の下側サイドパネル、及び該第１のサイドパネルに折り曲げ可能に接続されている第１の上側サイドパネルを有する第１のサイドパネルと、
第２の下側サイドパネル、及び該第２のサイドパネルに折り曲げ可能に接続されている第２の上側サイドパネルを有する第２のサイドパネルと、
トップパネルと、
該ブランクの第１の周辺領域に沿って延びる複数の第１の端部フラップと、
該ブランクの第２の周辺領域に沿って延びる複数の第２の端部フラップと
を有し、ディスペンサパターンが、少なくとも該第１の上側サイドパネル、該トップパネル及び該第２の上側サイドパネル内にディスペンサセクションを画定する、ブランク。
【請求項２６】
前記ディスペンサパターンは、前記第１の上側サイドパネルを前記第１の下側サイドパネルに接続する第１の折り線に沿って、又はそれに隣接して延びる第１の横方向引き裂き線を有する、請求項２５に記載のブランク。
【請求項２７】
前記ディスペンサパターンは、前記第２の上側サイドパネルを前記第２の下側サイドパネルに接続する第２の折り線に沿って延びる第２の横方向引き裂き線を有する、請求項２６に記載のブランク。
【請求項２８】
前記ディスペンサパターンは、前記第１の上側サイドパネル内に開封セクションを画定する複数の開封線を有する、請求項２７に記載のブランク。
【請求項２９】
前記開封セクションは、前記第１の折り曲げ線に隣接している、請求項２８に記載のブランク。
【請求項３０】
前記ディスペンサパターンは、前記第１の周辺領域に隣接して延びる第１の縦方向引き裂き線と、前記第２の周辺領域に隣接して延びる第２の縦方向引き裂き線とを有する、請求項２７に記載のブランク。
【請求項３１】
ダイヤモンド形コーナが、前記ブランクの前記第１のサイドパネルの各端部に形成される、請求項２７に記載のブランク。
【請求項３２】
前記ディスペンサパターンは、前記第２の上側サイドパネル内に開封セクションを画定する複数の開封線を有する、請求項２６に記載のブランク。
【請求項３３】
前記開封セクションは、前記トップパネルに隣接している、請求項３２に記載のブランク。
【請求項３４】
前記ディスペンサパターンは、前記第１の周辺領域に隣接して延びる第１の縦方向引き裂き線と、前記第２の周辺領域に隣接して延びる第２の縦方向引き裂き線とを有する、請求項３２に記載のブランク。
【請求項３５】
ダイヤモンド形コーナが、前記ブランクの前記第１のサイドパネルの各端部に形成される、請求項３２に記載のブランク。
【請求項３６】
前記ディスペンサセクションは、前記第１の端部パネル内にさらに画定される、請求項２５に記載のブランク。
【請求項３７】
前記ディスペンサパターンは、前記第１のサイドパネルの端から端まで延びる第１の斜め引き裂き線と、第２サイドパネルの端から端まで延びる第２の斜め引き裂き線とを有する、請求項３６に記載のブランク。
【請求項３８】
前記ディスペンサパターンは、前記トップパネルの端から端まで延びると共に前記第１の斜め引き裂き線及び前記第２の斜め引き裂き線を接続するトップ引き裂き線を有する、請求項３７に記載のブランク。
【請求項３９】
前記ディスペンサセクションは、前記トップパネル内へ長さＬだけ延びており、該トップパネルの長さはＬＣであり、Ｌ／ＬＣは少なくとも０．２である、請求項３６に記載のブランク。
【請求項４０】
ダイヤモンド形コーナが、前記ブランクの前記第１のサイドパネルの各端部に形成される、請求項３６に記載のブランク。
【請求項４１】
ダイヤモンド形コーナが、前記ブランクの前記第１のサイドパネルの各端部に形成される、請求項２５に記載のブランク。
【請求項４２】
前記ボトムパネルは、前記トップパネルより幅広である、請求項４１に記載のブランク。
【請求項４３】
前記ディスペンサパターンは、前記第１の上側サイドパネル内に開封セクションを画定する複数の開封引き裂き線を有し、該開封セクションは、前記第１のサイドパネルの長さに沿って測定した幅が、該第１のサイドパネルの該長さの少なくとも約０．４倍である、請求項４２に記載のブランク。
【請求項４４】
前記ディスペンサパターンは、前記第２の上側サイドパネル内に開封セクションを画定する複数の開封引き裂き線を有し、該開封セクションは、前記第２のサイドパネルの長さに沿って測定した幅が、該第２のサイドパネルの該長さの少なくとも約０．４倍である、請求項４２に記載のブランク。
【請求項４５】
前記ディスペンサパターンは、前記第１の上側サイドパネル内に開封セクションを画定する複数の開封引き裂き線を有し、該開封セクションは、前記第１のサイドパネルの長さに沿って測定した幅が、該第１のサイドパネルの該長さの少なくとも約０．４倍である、請求項２５に記載のブランク。
【請求項４６】
前記ディスペンサパターンは、前記第２の上側サイドパネル内に開封セクションを画定する複数の開封引き裂き線を有し、該開封セクションは、前記第２のサイドパネルの長さに沿って測定した幅が、該第２のサイドパネルの該長さの少なくとも約０．４倍である、請求項２５に記載のブランク。
【請求項４７】
前記第１の端部パネル内に形成された第１のハンドルと、前記第２の端部パネル内に形成された第２のハンドルとをさらに有する、請求項２５に記載のブランク。
【発明の詳細な説明】
【技術分野】
【０００１】
［関連出願］
本願は、２００５年３月１４日に出願された米国仮出願第６０／６６１，５４６号の利益を主張し、この出願の全内容が本明細書に示されるのと同等に参照により本明細書に援用される。
【背景技術】
【０００２】
ディスペンサ特徴部を有する密閉カートンが従来用いられてきた。そのようなカートンの多くは、引き裂き線によって画定されるディスペンサ部分を設けることにより、ディスペンサ開口を作ることができる。ディスペンサ部分は、カートンから物品を取り出すことができる開口を作るために、カートンから完全又は部分的に分離可能である。しかしながら、多くの従来型ディスペンサ開口では、カートン内に収容されている容器へのアクセスが不十分である。他のディスペンサ開口が、カートン内の容器へ十分にアクセスできるようにしてもよいが、カートンの、ディスペンサ部分を開く間に除去されたセクションは、カートンの構造的一体性を損なう。
【発明の開示】
【課題を解決するための手段】
【０００３】
［概要］
本発明の一実施の形態によれば、カートンが、ボトムパネルと、トップパネルと、第１のサイドパネル及び第２のサイドパネルと、第１の端部パネル及び第２の端部パネルとを有する。ディスペンサセクションをカートン内に形成し、それにより、ディスペンサセクションを開く時、ディスペンサ開口が、少なくとも一方のサイドパネルの上側部分、トップパネル及び第２のサイドパネルの上側部分内に形成されるようにする。カートン内に保管されている物品は、ディスペンサ開口から供給される。
【０００４】
本実施形態の一態様によれば、ディスペンサセクションを開いた時、開口は、カートン内に収容されている容器又は他の物品に容易にアクセスできるようにする。カートンの端部パネルは、ディスペンサ特徴部が開いた後も無傷のままであることができ、それにより、端部パネル内に配置されたハンドル穴によって開封済みカートンを容易に運搬できるようにする。開封中、サイドパネルの上側部分の一部又はほぼ全部を除去し、それにより、カートンのいずれか一方の側面又は両側面から物品にアクセスできるようにすることができる。
【０００５】
本発明の別の実施形態によれば、ディスペンサセクションをカートン内に形成し、それにより、ディスペンサセクションを開く時、ディスペンサ開口が、第１のサイドパネル、トップパネル、第２のサイドパネル及び端部パネルの少なくとも一部分に形成されるようにする。
【０００６】
本実施形態の一態様によれば、カートンのトップパネルの、開封中に除去される部分は、開封済みカートン内の物品の所望数にアクセスできるように選択できる。ディスペンサ開口は、カートンの側部からアクセスできるようにサイドパネル内へ下向きに延びることができ、また、開かれたカートン端部からアクセスできるように端部パネル内へ延びることもできる。開封済みカートンの側部及び端部は、カートンに高度の構造剛性を保持するのに十分な高さであることができる。カートンを開いた後にカートンを運搬できるようにするハンドルをカートン端部に形成することができる。
【０００７】
本発明の他の態様、特徴、及び詳細は、以下の例示的な実施形態の詳細な説明を図面と共に参照することによって、また添付の特許請求の範囲から、より完全に理解することができる。
【０００８】
慣習に従い、後述する図面の種々の特徴は必ずしも一定の縮尺で描かれていない。図面における種々の特徴及び要素の寸法は、本発明の実施形態をより明確に説明するために拡大又は縮小されている場合がある。
【発明を実施するための最良の形態】
【０００９】
［詳細な説明］
本発明は、包括的には、容器、瓶、缶等の物品を収容するカートン用の開口及びディスペンサ特徴部に関する。物品は、たとえば食品及び飲料の包装に用いられることができる。物品は、組み立てた状態で特定の食品又は飲料の包装に適する材料から形成されることができ、その材料には、限定的ではないが、アルミニウム並びに／又は他の金属、ガラス、ＰＥＴ、ＬＤＰＥ、ＬＬＤＰＥ、ＨＤＰＥ、ＰＰ、ＰＳ、ＰＶＣ、ＥＶＯＨ及びナイロン等のプラスチック等、又はそれらの任意の組み合わせが含まれる。
【００１０】
本発明によるカートンは、任意の形状の物品を収容することができる。本発明の範囲を限定するためではなく説明のために、以下の詳細な説明は、カートンの実施形態内に配置されるものとして飲料容器（たとえばガラス製飲料ボトル）について説明する。本明細書では、「下側」、「下部（bottom：ボトム）」、「上側」、及び「上部（top：トップ）」という用語は、完全に組み立てられた直立のカートンに関して決定される向きを表す。
【００１１】
図１乃至図８に示す本発明の第１の実施形態によれば、カートン９０（図４に示す）の第１のサイドパネル２０の上側部分、トップパネル３０、及び第２のサイドパネル４０の上側部分を除去するか、又は少なくとも部分的に分離することによって、ディスペンサ開口がカートン９０内に作られる。カートン９０の端部パネル９２、９４が無傷のままであって、それにより、端部パネル内に配置されたハンドルによって開封済みカートンを容易に運搬できるようにしてもよい。開封した時、カートン９０は、カートンの上部及びいずれかの側部から物品に容易にアクセスできるようにする。
【００１２】
図１は、本発明の第１の実施形態によるカートン９０（図４に示す）を形成するために用いられるブランク８の平面図である。ブランク８は、縦方向中心線ＣL及び横方向中心線ＣTに関して対称的又は部分対称的である。したがって、完全若しくは部分的な縦方向対称性及び／又は横方向対称性を反映するために、図面内の一定の要素に同様又は同一の参照符号を付けている。図１に示すように、ブランク８は、第１の横方向折り線１６で矩形のボトムパネル１０に折り曲げ可能に接続されている接着フラップ１４を有する。ボトムパネル１０は、第２の横方向折り線２１で第１のサイドパネル２０に折り曲げ可能に接続され、トップパネル３０は、第３の横方向折り線３１で第１のサイドパネル２０に折り曲げ可能に接続され、第２のサイドパネル４０は、第４の横方向折り線４１でトップパネル３０に折り曲げ可能に接続される。向き合わせて配置されたボトム端部フラップ１２が、縦方向折り線１５でボトムパネル１０に折り曲げ可能に接続される。向き合わせて配置されたトップ端部フラップ３２が、縦方向折り線７４、７８でトップパネル３０に折り曲げ可能に接続される。円形のハンドル穴３４をトップ端部フラップ３２内に設けることができる。
【００１３】
第１のサイドパネル２０は、セクション８６で部分的に中断されてもよい横方向折り線７２で折り曲げ可能に接続される第１の上側サイドパネル２４及び第１の下側サイドパネル２２を有する。向き合わせて配置された端部フラップ２８が、縦方向折り線７４、７８で第１の上側サイドパネル２４に折り曲げ可能に接続される。同様に、向き合わせて配置された端部フラップ２６が、斜め折り線５４で第１の下側サイドパネル２２に折り曲げ可能に接続される。第２のサイドパネル４０は、横方向折り線７６で折り曲げ可能に接続される第２の上側サイドパネル４４及び第２の下側サイドパネル４２を有することができる。向き合わせて配置された端部フラップ４８が、縦方向折り線７４、７８で第２の上側サイドパネル４４に折り曲げ可能に接続される。同様に、向き合わせて配置された端部フラップ４６が、斜め折り線５４で第２の下側サイドパネル４２に折り曲げ可能に接続される。縦方向折り線１５、７４、７８及び斜め折り線５４は直線状の折り線であってもよく、又は、たとえばブランクの厚さを考慮に入れて、１つ又は複数の場所でずれていてもよい。
【００１４】
ブランク８は、４つのダイヤモンド形コーナ５０を有する。２つは第１の上側サイドパネル２４、第１の下側サイドパネル２２及び端部フラップ２６、２８内に形成されており、これらの２つのダイヤモンド形コーナ５０は、第１のサイドパネル２０の両端部に位置する。同様に、２つのダイヤモンド形コーナ５０は、第２の上側サイドパネル４４、第２の下側サイドパネル４２及び端部フラップ４６、４８内に形成されており、これらの２つのダイヤモンド形コーナ５０は、第２のサイドパネル４０の両端部に位置する。これらの位置の各々で、ダイヤモンド形コーナ５０は、横方向折り線５８、６０、Ｖ字形折り線５２、５６及び斜め折り線５４によって一部が画定される。
【００１５】
本実施形態の一態様によれば、ブランク８内に形成されたディスペンサパターン７０が、ディスペンサセクション７１を画定する。ディスペンサパターン７０は一般的に、ディスペンサセクション７１がカートン９０にヒンジ式に取り付けられたままであるか、又はそれから完全に除去することができるようにする破断線のパターンをブランク８内に有することができる（図４）。ディスペンサパターン７０は、たとえば横方向折り線７２、７６及び縦方向折り線７４、７８に沿って延びる引き裂き線を有してもよい。ディスペンサパターン７０はまた、ディスペンサセクション７１内に開封セクション又は開封フラップ７５を画定してもよい。開封フラップ７５は、第１の上側サイドパネル２４内で、下側サイドパネル２２に隣接した位置にある。開封フラップ７５は、弧状の開封線８０、Ｖ字形開封線８２、逆Ｔ字形開封線８４及び横方向折り線７２の区間８６によって画定されてもよい。横方向折り線７２の引き裂き線は、第１のサイドパネル２０の全長にわたって延び、横方向折り線７６の引き裂き線は、第２のサイドパネル４０の全長にわたって延びる。台形パネル８８を開封フラップ７５内で横方向折り線７２の区間８６に隣接する位置に画定することができる。
【００１６】
開封フラップ７５を構成している線は、開封フラップ７５内へ容易にアクセスするか、又は進入することができるように設計された破断線であることができる。たとえば、線８４は、開封フラップ７５を押し付けた時に破断するように設計された引き裂き線であることができる。線８０、８２及び区間８６は、開封フラップ７５を押し付けた時にたわむか、又は変形するように設計された線であることができ、これにより、ユーザはフラップ７５をしっかり把持することができる。図示の実施形態では、開封線８４は切断線／離間線であり、線８０、８２及び区間８６は切断線／折り目線である。
【００１７】
次に、図２乃至図５を参照しながら、ブランク８からカートン９０を組み立てる例示的な方法を説明する。図２は、ブランク８の印刷側又は外側を外向きにして部分的に組み立てた状態にあるブランク８を示す。ブランク８を、横方向折り線７２を中心にして１８０度折り曲げると共に、第２の下側サイドパネル４２も横方向折り線７６を中心にして１８０度折り曲げる。第２の下側サイドパネル４２は、接着フラップ１４の上に重なり、ボトムパネル１０に隣接している。図１も参照すると、糊、接着剤若しくは当該技術分野において既知の他の手段によって第２の下側サイドパネル４２を接着フラップ１４に接着又は固定する。
【００１８】
図３は、図２のブランク８を開いて部分的組み立て済みカートンにして、２×６構成に配置した容器Ｃを装填したところを示す。カートンの一端部又は両端部を端部フラップ１２、２６、２８、３２、４６、４８によって閉鎖する前の任意時に、たとえば容器Ｃ等の物品を従来のやり方で部分的組み立て済みカートンに装填してもよい。
【００１９】
図４は、組み立て済みカートン９０の一方側部の斜視図である。図５は、組み立て済みカートン９０の反対側部の正面図である。図３も参照すると、端部フラップ１２、２６、２８、３２、４６、４８を内側に折り曲げて糊付け又は他の方法で接着し、それにより、カートン９０の第１の端部及び第２の端部にそれぞれ第１の端部パネル９２及び第２の端部パネル９４を形成することによって、カートン９０の端部を形成してもよい。図４は、組み立て済みカートン９０の第１のサイドパネル２０上に開封フラップ７５を含むディスペンサパターン７０の位置を示す。図５は、第２のサイドパネル４０と、横方向折り線７６及び折り線７４、７８に沿って延びるディスペンサパターン７０の引き裂き線とを示す。
【００２０】
図６は、ディスペンサセクション７１の開封フラップ７５を詳細に示す。弧状開封線８０は、開封フラップ７５の上側境界線を画定しており、カートン９０の幅の大部分にわたって延びることができる。横方向折り線７２は、開封フラップ７５の下縁部を画定する。Ｖ字形開封線８２、逆Ｔ字形開封線８４及び区間８６が、台形パネル８８を画定する。
【００２１】
次に、図６乃至図８を参照しながら、カートン９０を開封する１つの例示的な方法を説明する。図６を参照すると、ディスペンサセクション７１の把持を行うために、ユーザが開封フラップ７５内の、線８０、８２、８４、７２の１つ又は複数を、任意選択で横方向折り線７２の区間８６を含めて、指で破断することができる。例示的な実施形態では、開封フラップ７５は、主に開封線８４で破断されるが、開封フラップ７５の他の線をさまざまな程度に引き裂いてもよい。開封フラップ７５を破断する時に横方向折り線７２の区間８６を完全に引き裂くと、台形パネル８８がディスペンサセクション７１と一緒に分離するであろう。そうではなくて、台形パネル８８を第１の下側サイドパネル２２に取り付けたままにすることができる。
【００２２】
図７を参照すると、開封フラップ７５を破断した後、ディスペンサセクション７１を垂直方向に第１の下側サイドパネル２２から引き離し、カートン９０をディスペンサパターン７０に沿って裂き開く。すなわち、第１の上側サイドパネル２４を横方向折り線７２に沿って、また当てはまる場合には区間８６にも沿って引き裂いて第１の下側サイドパネル２２から離す。折り線７２をカートン９０の全長にわたって引き裂いた後、第１の上側サイドパネル２４を縦方向折り線７４、７８に沿って垂直方向に引っ張り、それにより、第１の上側サイドパネル２４をそれぞれ第１の端部パネル９２及び第２の端部パネル９４から切り離してもよい。トップパネル３０を、次に第２の上側サイドパネル４４を第１の端部パネル９２及び第２の端部パネル９４から引き裂いて離す時、ディスペンサパターン７０に沿った開封が縦方向折り線７４、７８に沿って継続する。横方向折り線７６に達した後、ディスペンサセクション７１は、カートン９０にヒンジ式に取り付けられたままに残されることができる（図示せず）。代替として、ディスペンサセクション７１の第２の上側サイドパネル４４を水平に引っ張って、ディスペンサセクション７１を第２の下側サイドパネル４２の上縁部に沿ってカートン９０の残り部分から除去してもよい。
【００２３】
図８は、ディスペンサセクション７１をカートン９０の残り部分から完全に除去した状態にある開封済みカートン９０を示す。開封済みカートン９０は、カートン９０の両側部及び上部から容器Ｃにアクセスすること、及びそれらを見ることを可能にする。カートン９０の第１の端部パネル９２及び第２の端部パネル９４は残って、端部パネル内に配置されたハンドル３４によって開封済みカートン９０を容易に運搬できるようにする。第１のカートンの実施形態は、たとえば冷蔵庫の内部に保管されることができ、たとえばガラス又はプラスチックの飲料瓶へ容易にアクセスできるようにする。例示的な２×６容器構成は一般的に、所望ならば、カートン９０を冷蔵庫のドア棚部に置いて保管できるようにするであろう。任意選択で、カートン９０は、カートンがそのいずれかの側部から、且つ／若しくはその上部から物品に容易にアクセスできるようにする冷蔵庫内の別の棚部、又は別の表面上に載置されることができる。
【００２４】
図９乃至図１３に示す本発明の第２の実施形態によれば、カートン１９０の第２のサイドパネル１４０の一区画、トップパネル１３０及び第１のサイドパネル１２０の上側部分を除去する、又は少なくとも部分的に分離させることにより、ディスペンサ開口がカートン１９０内に作られる。第２のサイドパネル１４０の、カートン１９０と一緒に残る区画は、カートンに追加的安定性を与える。開封した時、カートン１９０は、カートンの上部及び開いた側部から物品に容易にアクセスできるようにする。
【００２５】
図９は、本発明の第２の実施形態によるカートン１９０（図１０に示す）を形成するために用いられるブランク１０８の平面図である。ブランク１０８は、縦方向中心線ＣL及び横方向中心線ＣTに関して対称的又は部分対称的である。したがって、完全若しくは部分的な縦方向対称性及び／又は横方向対称性を反映するために、図面内の一定の要素に同様又は同一の参照符号を付けている。図９に示すように、ブランク１０８は、第１の横方向折り線１１６で矩形のボトムパネル１１０に折り曲げ可能に接続されている接着フラップ１１４を有する。ボトムパネル１１０は、第２の横方向折り線１２１で第１のサイドパネル１２０に折り曲げ可能に接続され、トップパネル１３０は、第３の横方向折り線１３１で第１のサイドパネル１２０に折り曲げ可能に接続され、第２のサイドパネル１４０は、第４の横方向折り線１４１でトップパネル１３０に折り曲げ可能に接続される。向き合わせて配置されたボトム端部フラップ１１２が、縦方向折り線１１５でボトムパネル１１０に折り曲げ可能に接続される。向き合わせて配置されたトップ端部フラップ１３２が、縦方向折り線１７４、１７８でトップパネル１３０に折り曲げ可能に接続される。円形のハンドル穴１３４をトップ端部フラップ１３２内に設けることができる。
【００２６】
第１のサイドパネル１２０は、横方向折り線１７２で折り曲げ可能に接続される第１の上側サイドパネル１２４及び第１の下側サイドパネル１２２を有することができる。向き合わせて配置された端部フラップ１２８が、縦方向折り線１７４、１７８で第１の上側サイドパネル１２４に折り曲げ可能に接続される。同様に、向き合わせて配置された端部フラップ１２６が、斜め折り線１５４で第１の下側サイドパネル１２２に折り曲げ可能に接続される。第２のサイドパネル１４０は、横方向折り線１４３で折り曲げ可能に接続される第２の上側サイドパネル１４４及び第２の下側サイドパネル１４２を有することができる。向き合わせて配置された端部フラップ１４８が、斜め折り線１５４で第２の上側サイドパネル１４４に折り曲げ可能に接続される。同様に、向き合わせて配置された端部フラップ１４６が、斜め折り線１５４で第２の下側サイドパネル１４２に折り曲げ可能に接続される。縦方向折り線１１５、１７４、１７８及び斜め折り線１５４は直線状の折り線であってもよく、又は、たとえばブランクの厚さを考慮に入れて、１つ又は複数の場所でずれていてもよい。
【００２７】
ブランク１０８は、４つのダイヤモンド形コーナ１５０を有する。２つは第１の上側サイドパネル１２４、第１の下側サイドパネル１２２及び端部フラップ１２６、１２８内に形成されており、これらの２つのダイヤモンド形コーナ１５０は、第１のサイドパネル１２０の両端部に位置する。同様に、２つのダイヤモンド形コーナ１５０は、第２の上側サイドパネル１４４、第２の下側サイドパネル１４２及び端部フラップ１４６、１４８内に形成されており、これらの２つのダイヤモンド形コーナ１５０は、第２のサイドパネル１４０の両端部に位置する。これらの位置の各々で、ダイヤモンド形コーナ１５０は、横方向折り線１５８、１６０、Ｖ字形折り線１５２、１５６及び斜め折り線１５４によって一部が画定される。
【００２８】
第２の実施形態の一態様によれば、ブランク１０８内に形成されたディスペンサパターン１７０が、ディスペンサセクション１７１を画定する。ディスペンサパターン１７０は一般的に、ディスペンサセクション１７１がカートンにヒンジ式に取り付けられたままであるか、又はそれから完全に除去されることができるようにする破断線のパターンをブランク１０８内に有することができる（図１０に示す）。ディスペンサパターン１７０は、たとえば横方向折り線１７２及び縦方向折り線１７４、１７８に沿って延びる引き裂き線を有してもよい。ディスペンサパターン１７０はまた、ディスペンサセクション１７１内に開封セクション又は開封フラップ１７５を画定してもよい。開封フラップ１７５は、第２の上側サイドパネル１４４の上部付近で、トップパネル１３０に隣接した位置にある。開封フラップ１７５は、斜め開封線１８０、弧状の開封線１８２、Ｖ字形開封線１８３及び逆Ｔ字形開封線１８４によって画定されてもよい。
【００２９】
開封フラップ１７５を構成している線は、開封フラップ１７５内へ容易にアクセスするか、又は進入することができるように設計された破断線であることができる。たとえば、線１８４は、開封フラップ１７５を押し付けた時に破断するように設計された引き裂き線であることができる。線１８０、１８３は、開封フラップ１７５を押し付けた時及び破断した時にたわむか、又は変形するように設計された線であることができ、これにより、ユーザは開封フラップ１７５をしっかり把持することができる。斜め開封線１８０は引き裂き線であってもよく、これにより、ディスペンサセクション１７１は、始めに第２のサイドパネル１４０に沿って引き裂かれることができる。
【００３０】
ブランク８から第１の実施形態のカートン９０を組み立てる上記の例示的な方法は、第２の実施形態のカートン１９０の組み立てに用いられることができる。図９乃至図１１を参照すると、ブランク１０８からカートン１９０を組み立てる方法は以下のように要約される。ブランク１０８の印刷側又は外側を外向きにして、ブランク１０８を、横方向折り線１７２を中心にして１８０度折り曲げると共に、第２の下側サイドパネル１４２も横方向折り線１４３を中心にして１８０度折り曲げる。第２の下側サイドパネル１４２は接着フラップ１１４の上に重なり、ボトムパネル１１０に隣接している。糊、接着剤若しくは当該技術分野において既知の他の手段によって第２の下側サイドパネル１４２を接着フラップ１１４に接着するか、又は他の方法で固定する。
【００３１】
図１０は、組み立て済みカートン１９０の一方側部の斜視図であり、図１１は、カートン１９０の反対側部の斜視図である。カートン１９０には、２×６構成に配置した容器Ｃ（図１０及び図１１には見えない）が装填されている。端部フラップ１１２、１２６、１２８、１３２、１４６、１４８（図９に示す）を内向きに折り曲げて糊付け又は他の方法で接着し、それにより、カートン１９０の各端部に第１の端部パネル１９２及び第２の端部パネル１９４を形成することによってカートン１９０の端部を閉鎖してもよい。カートン１９０の一端部又は両端部を端部フラップ１１２、１２６、１２８、１３２、１４６、１４８によって閉鎖する前の任意時に、物品を従来のやり方で部分的組み立て済みカートンに装填してもよい。
【００３２】
図１０を参照すると、パターン１７０の引き裂き線は、第１のサイドパネル１２０内に位置する横方向折り線１７２に沿って延びる。図１１は、カートン１９０の反対側部の図であって、第２の上側サイドパネル１４４の上部付近の開封フラップ１７５の位置を示す。開封フラップ１７５の底縁部は、斜め開封線１８０及びＴ字形線１８４によって画定される。
【００３３】
次に、図１０乃至図１２を参照しながら、カートン１９０を開封する１つの例示的な方法を説明する。図１０及び図１１を参照すると、ディスペンサセクション１７１を把持するために、ユーザが開封フラップ１７５内の線１８２、１８３、１８４の１つ又は複数を指で破断することができる。開封フラップ１７５を破断した後、ディスペンサセクション１７１を斜め開封引き裂き線１８０に沿って垂直方向に第２の上側サイドパネル１４４から引き裂いて離す。トップパネル１３０及び第１の上側サイドパネル１２４を第１の端部パネル１９２及び第２の端部パネル１９４から分離する時、ディスペンサパターン１７０に沿った開封が縦方向折り線１７４、１７８内の引き裂き線に沿って継続する。横方向折り線１７２に達した後、ディスペンサセクション１７１は、カートン１９０にヒンジ式に取り付けられたままであることができる（図示せず）。代替として、ディスペンサセクション１７１の第１の上側サイドパネル１２４を水平に引っ張って、図１２に示すように、ディスペンサセクション１７１を第１の下側サイドパネル１２２及びカートン１９０から除去してもよい。
【００３４】
図１２及び図１３は、ディスペンサセクション１７１を除去した状態にある開封済みカートン１９０を示す。図１２に示されたカートン１９０の開封側部又は供給側部から、第１の下側サイドパネル１２２の上方で容器Ｃに容易にアクセス可能である。図１３は、カートン１９０の反対側部を示し、ここで第２の上側サイドパネル１４４は、除去された開封フラップ１７５の下縁部まで無傷のままである。
【００３５】
ディスペンサセクション１７１を除去した後、カートン１９０は、カートン１９０の開封側部及び上部から容器Ｃを見ること、及び容器Ｃに容易にアクセスすることの両方を可能にする。第２のサイドパネル１４０の、カートン１９０と一緒に残る区画は、カートン１９０に追加的安定性を与える。カートン１９０の端部パネル１９２、１９４は残って、ハンドル１３４によって開封済みカートン１９０を容易に運搬できるようにしてもよい。カートン１９０は、たとえば冷蔵庫の内部に保管されることができ、たとえばガラス又はプラスチック飲料瓶に容易にアクセスできるようにする。本実施形態の一態様によれば、２×６構成は一般的に、所望ならば、カートン１９０を冷蔵庫のドア棚部内に保管できる。
【００３６】
図１４乃至図１８に示す本発明の第３の実施形態によれば、カートン２９０の第１のサイドパネル２２０の上側部分、トップパネル２３０、及び第２のサイドパネル２４０の上側部分を除去するか、又は少なくとも部分的に分離することによって、ディスペンサ開口がカートン２９０内に作られる。開封した時、カートン２９０は、カートンの上部及びいずれかの側部から物品に容易にアクセスできるようにする。
【００３７】
図１４は、本発明の第３の実施形態によるカートン２９０（図１５に示す）を形成するために用いられるブランク２０８の平面図である。図１４に示すように、ブランク２０８は、第１の横方向折り線２１６で矩形のボトムパネル２１０に折り曲げ可能に接続されている接着フラップ２１４を有する。ボトムパネル２１０は、第２の横方向折り線２２１で第１のサイドパネル２２０に折り曲げ可能に接続され、トップパネル２３０は、第３の横方向折り線２３１で第１のサイドパネル２２０に折り曲げ可能に接続され、第２のサイドパネル２４０は、第４の横方向折り線２４１でトップパネル２３０に折り曲げ可能に接続される。向き合わせて配置されたボトム端部フラップ２１２が、縦方向折り線２１５でボトムパネル２１０に折り曲げ可能に接続される。向き合わせて配置されたトップ端部フラップ２３２が、縦方向折り線２７４、２７８でトップパネル２３０に折り曲げ可能に接続される。ハンドル穴２３４をトップ端部フラップ２３２内に設けることができる。トップパネル２３０もまた、横方向折り線２３７で折り曲げ可能に接続される第１のサイドトップパネル２３６及び第２のサイドトップパネル２３８を有することができる。
【００３８】
第１のサイドパネル２２０は、セクション２８６を有する横方向折り線２７２で折り曲げ可能に接続される第１の上側サイドパネル２２４及び第１の下側サイドパネル２２２を有することができる。向き合わせて配置された端部フラップ２２８が、縦方向折り線２７４、２７８で第１の上側サイドパネル２２４に折り曲げ可能に接続される。同様に、向き合わせて配置された端部フラップ２２６が、斜め折り線２５４で第１の下側サイドパネル２２２に折り曲げ可能に接続される。第２のサイドパネル２４０は、横方向折り線２７６で折り曲げ可能に接続される第２の上側サイドパネル２４４及び第２の下側サイドパネル２４２を有することができる。向き合わせて配置された端部フラップ２４８が、縦方向折り線２７４、２７８で第２の上側サイドパネル２４４に折り曲げ可能に接続される。同様に、向き合わせて配置された端部フラップ２４６が、斜め折り線２５４で第２の下側サイドパネル２４２に折り曲げ可能に接続される。縦方向折り線２１５、２７４、２７８及び斜め折り線２５４は直線状の折り線であってもよく、又は、たとえばブランクの厚さを考慮に入れて、１つ又は複数の場所でずれていてもよい。
【００３９】
ブランク２０８は、４つのダイヤモンド形コーナ２５０を有する。２つは第１の上側サイドパネル２２４、第１の下側サイドパネル２２２及び端部フラップ２２６、２２８内に形成されており、これらの２つのダイヤモンド形コーナ２５０は、第１のサイドパネル２２０の両端部に位置する。同様に、２つのダイヤモンド形コーナ２５０は、第２の上側サイドパネル２４４、第２の下側サイドパネル２４２及び端部フラップ２４６、２４８内に形成されており、これらの２つのダイヤモンド形コーナ２５０は、第２のサイドパネル２４０の両端部に位置する。これらの位置の各々で、ダイヤモンド形コーナ２５０は、横方向折り線２５８、２６０、Ｖ字形折り線２５２、２５６及び斜め折り線２５４によって一部が画定される。
【００４０】
本実施形態の一態様によれば、ブランク２０８内に形成されたディスペンサパターン２７０が、ディスペンサセクション２７１を画定する。ディスペンサパターン２７０は一般的に、ディスペンサセクション２７１がカートン２９０にヒンジ式に取り付けられたままである、又はそれから完全に除去されることができるようにする破断線のパターンをブランク２０８内に有する（図１５に示す）。ディスペンサパターン２７０は、たとえば横方向折り線２７２、２７６及び縦方向折り線２７４、２７８に沿って延びる引き裂き線を有する。ディスペンサパターン２７０はまた、ディスペンサセクション２７１内に開封セクション又は開封フラップ２７５を画定する。開封フラップ２７５は、第１の上側サイドパネル２２４内で、下側サイドパネル２２２に隣接した位置にあり、形状、構造及び機能の点で、図１に示された開封フラップ７５に全体的に似ている。開封フラップ２７５は、弧状の開封線２８０、Ｖ字形開封線２８２、逆Ｔ字形開封線２８４及び横方向折り線２７２の区間２８６によって画定される。横方向折り線２７２の引き裂き線は、第１のサイドパネル２２０の全長にわたって延び、横方向折り線２７６の引き裂き線は、第２のサイドパネル２４０の全長にわたって延びる。台形パネル２８８を開封フラップ２７５内で横方向折り線２７２の区間２８６に隣接する位置に画定する。
【００４１】
上記のカートンを組み立てる例示的な方法は、カートン２９０の組み立てにも用いられる。図１５及び図１６は、完全に組み立てられたカートン２９０の両側部を示す。本実施形態では、容器Ｃ（図１５及び図１６には見えない）は３×４構成で配置されるが、他の構成を用いることもできる。図１５を参照すると、横方向折り線２７６は、第２のサイドパネル２４０の端から端まで延びており、縦方向折り線２７４、２７８は、それぞれ端部パネル２９２、２９４に隣接している。図１６を参照すると、開封フラップ２７５は、第１のサイドパネル２２０の長さの大部分にわたって延びて、ディスペンサセクション２７１を容易に開くことができるようにしている。ハンドル穴２３４の一方が第２の端部パネル２９４内に位置し、対応のハンドル穴２３４（図１５及び図１６には見えない）は、第１の端部パネル２９２に位置する。図１７は、カートン２９０を運搬するためにハンドル穴２３４を使用するところを示す。
【００４２】
図１６及び図１８を参照すると、ユーザは一般的に、ディスペンサパターン２７０に沿ってディスペンサセクション２７１を開く。ユーザは、開封フラップ２７５を破断して、ディスペンサセクション２７１をカートン２９０の残り部分から引き離すことにより、ディスペンサセクション２７１を開き始める。ディスペンサセクション２７１は、カートン２９０にヒンジ式に取り付けられたままであるか、又は、図１８に示すように、カートン２９０から完全に除去されることができる。
【００４３】
図１８は、ディスペンサセクション２７１を除去した状態にある開封済みカートン２９０を示す。開封済みカートン２９０は、カートン２９０の両側部及び上部から容器Ｃにアクセスすること、及びそれらを見ることを可能にする。端部パネル２９２、２９４は残って、端部パネル内に配置されたハンドル２３４によって開封済みカートン２９０を容易に運搬できるようにする。カートン２９０は冷蔵庫の内部に保管されることができ、たとえばガラス又はプラスチックの飲料瓶へ容易にアクセスできるようにする。
【００４４】
図１９乃至図２１に示す本発明の第４の実施形態によれば、カートン３９０の第２のサイドパネル３４０の一区画、トップパネル３３０、及び第１のサイドパネル３２０の上側部分を除去するか、又は少なくとも部分的に分離することによって、ディスペンサ開口がカートン３９０内に作られる。第２のサイドパネル３４０のカートン３９０と一緒に残る区画は、カートンに付加的安定性を与える。開封した時、カートン３９０は、カートンの上部及び開封側部から物品に容易にアクセスできるようにする。
【００４５】
図１９は、本発明の第４の実施形態によるカートン３９０（図２０）を形成するために用いられるブランク３０８の平面図である。図１９に示すように、ブランク３０８は、第１の横方向折り線３１６で矩形のボトムパネル３１０に折り曲げ可能に接続されている接着フラップ３１４を有する。ボトムパネル３１０は、第２の横方向折り線３２１で第１のサイドパネル３２０に折り曲げ可能に接続され、トップパネル３３０は、第３の横方向折り線３３１で第１のサイドパネル３２０に折り曲げ可能に接続され、第２のサイドパネル３４０は、第４の横方向折り線３４１でトップパネル３３０に折り曲げ可能に接続される。向き合わせて配置されたボトム端部フラップ３１２が、縦方向折り線３１５でボトムパネル３１０に折り曲げ可能に接続される。向き合わせて配置されたトップ端部フラップ３３２が、縦方向折り線３７４、３７８でトップパネル３３０に折り曲げ可能に接続される。ハンドル穴３３４をトップ端部フラップ３３２内に設けることができる。トップパネル３３０もまた、横方向折り線３３７で折り曲げ可能に接続される第１のサイドトップパネル３３６及び第２のサイドトップパネル３３８を有することができる。
【００４６】
第１のサイドパネル３２０は、横方向折り線３７２で折り曲げ可能に接続される第１の上側サイドパネル３２４及び第１の下側サイドパネル３２２を有することができる。向き合わせて配置された端部フラップ３２８が、縦方向折り線３７４、３７８で第１の上側サイドパネル３２４に折り曲げ可能に接続される。同様に、向き合わせて配置された端部フラップ３２６が、斜め折り線３５４で第１の下側サイドパネル３２２に折り曲げ可能に接続される。第２のサイドパネル３４０は、横方向折り線３４３で折り曲げ可能に接続される第２の上側サイドパネル３４４及び第２の下側サイドパネル３４２を有することができる。向き合わせて配置された端部フラップ３４８が、斜め折り線３５４で第２の上側サイドパネル３４４に折り曲げ可能に接続される。同様に、向き合わせて配置された端部フラップ３４６が、斜め折り線３５４で第２の下側サイドパネル３４２に折り曲げ可能に接続される。縦方向折り線３１５、３７４、３７８及び斜め折り線３５４は直線状の折り線であってもよく、又は、たとえばブランクの厚さを考慮に入れて、１つ又は複数の場所でずれていてもよい。
【００４７】
ブランク３０８は、４つのダイヤモンド形コーナ３５０を有する。２つは第１の上側サイドパネル３２４、第１の下側サイドパネル３２２及び端部フラップ３２６、３２８内に形成されており、これらの２つのダイヤモンド形コーナ３５０は、第１のサイドパネル３２０の両端部に位置する。同様に、２つのダイヤモンド形コーナ３５０は、第２の上側サイドパネル３４４、第２の下側サイドパネル３４２及び端部フラップ３４６、３４８内に形成されており、これらの２つのダイヤモンド形コーナ３５０は、第２のサイドパネル３４０の両端部に位置する。これらの位置の各々で、ダイヤモンド形コーナ３５０は、横方向折り線３５８、３６０、Ｖ字形折り線３５２、３５６及び斜め折り線３５４によって一部が画定される。
【００４８】
本実施形態の一態様によれば、ブランク３０８内に形成されたディスペンサパターン３７０が、ディスペンサセクション３７１を画定する。ディスペンサパターン３７０は、形状、構造及び機能の点で、図９に示されたディスペンサパターン１７０に全体的に似ていて、ディスペンサセクション３７１をカートン３９０にヒンジ式に取り付けたままにするか、又はそれから完全に除去することができる破断線パターン（図２０に示す）をブランク３０８内に一般的に有する。セクション３７１内の開封セクション又は開封フラップ３７５は、斜め開封線３８０、弧状開封線３８２、Ｖ字形開封線３８３及びＴ字形開封線３８４によって画定される。
【００４９】
カートンを組み立てる上記の例示的な方法は、カートン３９０の組み立てにも用いることができる。図２０は、完全に組み立てられたカートン３９０に容器Ｃ（見えない）を３×４構成で装填したところを示す。組み立て済みカートン３９０は、図１９に示す端部フラップから形成された第１の端部パネル３９２及び第２の端部パネル３９４を有する。開封フラップ３７５は、第２の上側サイドパネル３４４の上部に位置して、サイドパネル３４０の幅の大部分にわたって延び、それにより、ディスペンサセクション３７１を容易に開くことができるようにしている。ディスペンサセクション３７１を把持するために、ユーザが開封フラップ３７５の線３８２、３８３、３８４の１つ又は複数を破断することができる。次に、ディスペンサセクション３７１をディスペンサパターン３７０に沿って引き裂いて、カートン３９０から除去してもよい。
【００５０】
図２１は、開封済みカートン３９０を示す。カートン３９０は、第１の下側サイドパネル３２２の上方で一方側部が開いている。カートン３９０の他方側部では、第２の上側サイドパネル３４４は斜め開封線３８０まで無傷のままであってもよい。開封後、カートン３９０は、カートン３９０の開いた側部及び上部から容器Ｃを見ること、及びそれらに容易にアクセスすることの両方を可能にする。第２のサイドパネル３４０の、カートン３９０と一緒に残る区画は、カートン３９０に追加的安定性を与える。
【００５１】
図１乃至図２１に示すカートン９０、１９０、２９０、３９０内の開封フラップの、サイドパネルに沿って測定した長さは、ディスペンサセクションを開きやすくするように選択されることができる。それぞれ図１１及び図２０に示すカートン１９０、３９０では、開封フラップは、カートン１９０、３９０のほぼ全長にわたる。それぞれ図６及び図１６に示す例示的な開封フラップ７５、２７５は、カートン９０、２９０の長さの約１／２乃至約３／４にわたる。一般的に、カートンの全長に対する開封フラップの長さの比は、約０．４乃至１の範囲にある。本発明の別の態様では、カートンの長さに対する開封フラップの長さの比は、約０．６乃至１の範囲にある。本発明のさらに別の態様では、カートンの長さに対する開封フラップの長さの比は、約０．８乃至１の範囲にある。
【００５２】
図２２乃至図２７に示す本発明の第５の実施形態によれば、カートン４９０の第１のサイドパネル４２０及び第２のサイドパネル４４０の両方の一区画と、一方の端部パネル４９２及びトップパネル４３０の両方の一部分とを除去するか、又は少なくとも部分的に分離することによって、ディスペンサ開口がカートン４９０内に作られる。ディスペンサセクションをカートン４９０にヒンジ式に取り付けたままにするか、又はそれから完全に除去することができる。カートン４９０の第１の端部パネル４９２及び第２の端部パネル４９４の一部分がほぼ無傷のままであり、それにより、端部パネル内に配置されたハンドル穴４１８によって開封済みカートンを容易に運搬できるようにしてもよい。開封した時、カートン４９０は、カートンの上部、両側部及び一方の端部から物品に容易にアクセスできるようにする。
【００５３】
図２２は、カートン４９０（図２３に示す）を形成するために用いられるブランク４０８の平面図である。ブランク４０８は、縦方向中心線ＣL及び横方向中心線ＣTに関して対称的又は部分対称的であることができる。したがって、完全又は部分的な縦方向対称性及び／又は横方向対称性を反映するために、図面内の一定の要素に同様又は同一の参照符号を付けている。図２２に示すように、ブランク４０８は、第１の横方向折り線４１６で矩形のボトムパネル４１０に折り曲げ可能に接続されている接着フラップ４１４を有する。ボトムパネル４１０は、第２の横方向折り線４２１で第１のサイドパネル４２０に折り曲げ可能に接続され、トップパネル４３０は、第３の横方向折り線４３１で第１のサイドパネル４２０に折り曲げ可能に接続され、第２のサイドパネル４４０は、第４の横方向折り線４４１でトップパネル４３０に折り曲げ可能に接続される。向き合わせて配置されたボトム端部フラップ４１２が、縦方向折り線４１５でボトムパネル４１０に折り曲げ可能に接続される。向き合わせて配置されたトップ端部フラップ４３２、４３３が、縦方向折り線４３５でトップパネル４３０に折り曲げ可能に接続される。ハンドル穴４１８をボトム端部フラップ４１２内に設けることができる。
【００５４】
第１のサイドパネル４２０は、横方向折り線４２３で折り曲げ可能に接続される第１の上側サイドパネル４２４及び第１の下側サイドパネル４２２を有することができる。向き合わせて配置された端部フラップ４２８及び４２９が、それぞれ折り線４５４、４２７で第１の上側サイドパネル４２４に折り曲げ可能に接続される。同様に、向き合わせて配置された端部フラップ４２６が、斜め折り線４５４で第１の下側サイドパネル４２２に折り曲げ可能に接続される。第２のサイドパネル４４０は、横方向折り線４４３で折り曲げ可能に接続される第２の上側サイドパネル４４４及び第２の下側サイドパネル４４２を有することができる。向き合わせて配置された端部フラップ４４８及び４４９が、それぞれ折り線４５４及び４４７で第２の上側サイドパネル４４４に折り曲げ可能に接続される。同様に、向き合わせて配置された端部フラップ４４６が、斜め折り線４５４で第２の下側サイドパネル４４２に折り曲げ可能に接続される。縦方向折り線４１５、４３５及び折り線４５４、４４７、４２７は直線状の折り線であってもよく、又は、たとえばブランクの厚さを考慮に入れて、１つ又は複数の場所でずれていてもよい。
【００５５】
ブランク４０８は、４つのダイヤモンド形コーナ４５０を有する。２つは第１の上側サイドパネル４２４、第１の下側サイドパネル４２２及び端部フラップ４２６、４２８、４２９内に形成されており、これらの２つのダイヤモンド形コーナ４５０は、第１のサイドパネル４２０の両端部に位置する。同様に、２つのダイヤモンド形コーナ４５０は、第２の上側サイドパネル４４４、第２の下側サイドパネル４４２及び端部フラップ４４６、４４８、４４９内に形成されており、これらの２つのダイヤモンド形コーナ４５０は、第２のサイドパネル４４０の両端部に位置する。これらの位置の各々で、ダイヤモンド形コーナ４５０は、横方向折り線４５８、４６０、Ｖ字形折り線４５２、４５６及び斜め折り線４５４によって一部が画定される。
【００５６】
本実施形態の一態様によれば、ブランク４０８内に形成されたディスペンサパターン４７０は、ディスペンサセクション４７７を画定する。ディスペンサパターン４７０は一般的に、ディスペンサセクション４７７がカートン４９０にヒンジ式に取り付けたままであるか、又はそれから完全に除去することができるようにする破断線パターン（図２３に示す）をブランク４０８内に有することができる。ディスペンサパターン４７０は、引き裂き線４７２、４７４、４７６、４７９、４８０及び折り目線４８１を有して、ディスペンサセクション４７７内に開封セクション又は開封フラップ４７５をさらに画定する。斜め引き裂き線４７２は、第１の上側サイドパネル４２４及び第２の上側サイドパネル４４４内に位置する。縦方向引き裂き線４７６は、トップパネル４３０内に位置して、斜め引き裂き線４７２を接続する。引き裂き線４７４は、端部フラップ４２９、４４９内に位置して、端部パネルを形成する時、半円線４８０及び斜め引き裂き線４７９とほぼ一致する。開封フラップ４７５は、トップ端部フラップ４３３内に位置して、半円開封引き裂き線４８０、斜め開封引き裂き線４７９及びＴ字形開封折り目線４８１を有する。
【００５７】
長さＬＣのカートンの場合、ディスペンサセクションＬＤ、すなわち言い換えると、ディスペンサセクション４７７がトップパネル４３０内へ延びる距離は、縦方向引き裂き線４７６及び縦方向折り線４３５間の距離によって測定されるであろう。
【００５８】
図２３は、ブランク４０８から組み立てられたカートン４９０の一方の側部の斜視図であり、図２４は、組み立て済みカートン４９０の同側部の側面図である。例示的なカートン４９０には、容器Ｃ（図２３及び図２４には見えない）が２×６構成で装填されている。第１の端部パネル４９２及び第２の端部パネル４９４は、端部フラップ（図２２に示す）を貼り合わせることによってカートン４９０の両端部に形成される。ディスペンサセクション４７７は、トップパネル４３０、サイドパネル４２０、４４０及び端部パネル４９２にわたって延びる。開封フラップ４７５、引き裂き線４７４、弧状引き裂き線４８０、折り目線４８１及び斜め引き裂き線４７９は、第１の端部パネル４９２内に位置する。斜め引き裂き線４７２は、第１の上側サイドパネル４２４内に位置し、同様の斜め引き裂き線４７２が、第２の上側サイドパネル４４４内に位置する（図２２に示す）。
【００５９】
図２４は、ディスペンサセクション４７７の長さＬＤ及びカートン４９０の長さＬＣの関係、並びにトップパネル４３０の平面に対して測定した、斜め線４７２によって画定されるディスペンサセクションの角度αＤを示す。本実施形態の一態様によれば、カートンの長さＬＣに対するディスペンサセクションの長さＬＤの比及びディスペンサセクションの角度αＤは、カートン４９０内の選択数の容器Ｃ（図２７に示す）にアクセスできるように選択されてもよい。図２２乃至図２７に示す例示的な実施形態では、カートンの長さＬＣに対するディスペンサセクションの長さＬＤの比は約０．６乃至約０．７の範囲にあり、ディスペンサセクションの角度αＤは約１５度乃至約２０度の範囲にある。
【００６０】
図２５乃至図２７は、カートン４９０を開封する例示的な方法を示す。図２５を参照すると、ディスペンサセクション４７７を把持するために、ユーザが開封フラップ４７５（図２３に示す）を半円線４８０に沿って破断し、開封折り目線４８１でフラップ４７５を押し込むことができる。開封フラップ４７５を破断した後、ディスペンサセクション４７７を第１の端部パネル４９２内の引き裂き線４７４、４７９（図２３に示す）に沿って垂直方向に引っ張ってもよい。次に、図２６に示すように、ディスペンサセクション４７７を第１の上側サイドパネル４２４及び第２の上側サイドパネル４４４内の斜め引き裂き線４７２に沿って垂直方向に引っ張る時、カートン４９０はディスペンサパターン４７０に沿って開き続ける。縦方向引き裂き線４７６に達した後、ディスペンサセクション４７７を、図２６に示すように、カートン４９０にヒンジ式に取り付けたままにすることができる。この構成では、容器Ｃをカートン４９０から除去するためにディスペンサセクション４７７を傾けて開き、またその後、その元の閉鎖向きに傾けて戻して容器Ｃを覆い、それにより、容器が見えないようにすることができる。代替として、ディスペンサセクション４７７をカートン４９０の残り部分から完全に分離してもよい。
【００６１】
図２７は、ディスペンサセクション４７７を除去した状態にある開封済みカートン４９０を示す。開封済みカートン４９０は、カートン４９０の上部、両側部及び一端部から容器Ｃにアクセスすること、及びそれらを見ることを可能にする。カートン４９０は、端部パネル４９２、４９４内のハンドル４１８によって容易に運搬できる。カートン４９０を開封した後でも、カートン４９０は、高い強度及び剛度を与える高いサイドパネルを有する。カートン４９０は、たとえば冷蔵庫の内部に保管でき、たとえばガラス又はプラスチックの飲料瓶に容易にアクセスできるようにする。２×６構成は一般的に、所望ならば、カートン４９０を冷蔵庫のドア棚部に置いて保管できるようにする。任意選択で、カートン４９０は、カートンの上部、両側部及び一端部から物品に容易にアクセスできるようにする冷蔵庫内の別の棚部、又は別の表面上に載置される。
【００６２】
図２８乃至図３０に示す本発明の第６の実施形態によれば、カートン５９０の第１のサイドパネル５２０の上側部分及び第２のサイドパネル５４０の両方の区画並びに一方の端部パネル５９２及びトップパネル５３０の両方の部分を除去するか、又は少なくとも部分的に分離することによって、ディスペンサ開口がカートン５９０内に作られる。開封した時、カートン５９０は、カートンの上部、両側部及び一方の端部から物品に容易にアクセスできるようにする。
【００６３】
図２８は、カートン５９０（図２９に示す）を形成するために用いられるブランク５０８の平面図である。図２８に示すように、ブランク５０８は、第１の横方向折り線５１６で矩形のボトムパネル５１０に折り曲げ可能に接続されている接着フラップ５１４を有する。ボトムパネル５１０は、第２の横方向折り線５２１で第１のサイドパネル５２０に折り曲げ可能に接続され、トップパネル５３０は、第３の横方向折り線５３１で第１のサイドパネル５２０に折り曲げ可能に接続され、第２のサイドパネル５４０は、第４の横方向折り線５４１でトップパネル５３０に折り曲げ可能に接続される。向き合わせて配置されたボトム端部フラップ５１２が、縦方向折り線５１５でボトムパネル５１０に折り曲げ可能に接続される。向き合わせて配置されたトップ端部フラップ５３２、５３３が、縦方向折り線５３５でトップパネル５３０に折り曲げ可能に接続される。ハンドル穴５１８をボトム端部フラップ５１２内に設けることができる。
【００６４】
第１のサイドパネル５２０は、横方向折り線５２３で折り曲げ可能に接続される第１の上側サイドパネル５２４及び第１の下側サイドパネル５２２を有する。向き合わせて配置された端部フラップ５２８及び５２９が、それぞれ斜め折り線５５４及び５２７で第１の上側サイドパネル５２４に折り曲げ可能に接続される。同様に、向き合わせて配置された端部フラップ５２６が、斜め折り線５５４で第１の下側サイドパネル５２２に折り曲げ可能に接続される。第２のサイドパネル５４０は、横方向折り線５４３で折り曲げ可能に接続される第２の上側サイドパネル５４４及び第２の下側サイドパネル５４２を有することができる。向き合わせて配置された端部フラップ５４８及び５４９が、それぞれ斜め折り線５５４及び５４７で第２の上側サイドパネル５４４に折り曲げ可能に接続される。同様に、向き合わせて配置された端部フラップ５４６が、斜め折り線５５４で第２の下側サイドパネル５４２に折り曲げ可能に接続される。縦方向折り線５１５、５３５及び斜め折り線５５４、５２７、５４７は直線状の折り線であってもよく、又は、たとえばブランクの厚さを考慮に入れて、１つ又は複数の場所でずれていてもよい。
【００６５】
ブランク５０８は、４つのダイヤモンド形コーナ５５０を有する。２つは第１の上側サイドパネル５２４、第１の下側サイドパネル５２２及び端部フラップ５２６、５２８、５２９内に形成されており、これらの２つのダイヤモンド形コーナ５５０は、第１のサイドパネル５２０の両端部に位置する。同様に、２つのダイヤモンド形コーナ５５０は、第２の上側サイドパネル５４４、第２の下側サイドパネル５４２及び端部フラップ５４６、５４８、５４９内に形成されており、これらの２つのダイヤモンド形コーナ５５０は、第２のサイドパネル５４０の両端部に位置する。これらの位置の各々で、ダイヤモンド形コーナ５５０は、横方向折り線５５８、５６０、Ｖ字形折り線５５２、５５６及び斜め折り線５５４によって一部が画定される。
【００６６】
本実施形態の一態様によれば、ブランク５０８内に形成されたディスペンサパターン５７０が、ディスペンサセクション５７７を画定する。ディスペンサパターン５７０は、形状、構造及び動作の点で、図２２に示されたディスペンサパターン４７０に全体的に似ていることができ、引き裂き線５７２、５７４、５７６、５７９、５８０及び折り目線５８１を有する。ディスペンサパターン５７０は、ディスペンサセクション５７７内に開封セクション又は開封フラップ５７５をさらに画定する。長さがＬＣのカートンの場合、ディスペンサセクションの長さＬＥは、縦方向引き裂き線５７６及び縦方向折り線５３５間の距離によって決定されてもよい。
【００６７】
カートンを組み立てる上記の例示的な方法をカートン５９０の組み立てに用いることができる。図２９は、容器Ｃ（図２９には見えない）を２×６構成で装填した組み立て済みカートン５９０を示す。カートン５９０の端部は、第１の端部パネル５９２及び第２の端部パネル５９４によって閉鎖される。ディスペンサセクション５７７は、トップパネル５３０、サイドパネル５２０、５４０及び端部パネル５９２にわたって延びる。開封フラップ５７５、引き裂き線５７４、半円引き裂き線５８０、折り目線５８１及び斜め引き裂き線５７９は、第１端部パネル５９２内に位置する。斜め引き裂き線５７２は、第１の上側サイドパネル５２４内に位置し、同様の斜め引き裂き線５７２が、第２の上側サイドパネル５４４内に位置する（図２８に示す）。
【００６８】
図２９は、ディスペンサセクションの長さＬＥ及びカートン５９０の長さＬＣの関係、並びに斜め引き裂き線５７２とトップパネル５３０の平面との間のディスペンサセクションの角度αＥを示す。本実施形態の一態様によれば、カートンの長さＬＣに対するディスペンサセクションの長さＬＥの比及びディスペンサセクションの角度αＥは、カートン５９０内の選択された容器Ｃ（図３０に示す）にアクセスできるように選択されてもよい。図２７乃至図３０に示す例示的な実施形態では、カートンの長さＬＣに対するディスペンサセクションの長さＬＥの比は約０．３乃至約０．４の範囲にある。ディスペンサセクションの角度αＥは約２５度乃至約３０度の範囲にある。
【００６９】
図２９及び図３０は、カートン５９０を開封する例示的な方法を示す。図２９を参照すると、ディスペンサセクション５７７を把持するために、ユーザが開封フラップ５７５を半円引き裂き線５８０及び／又は折り目線５８１に沿って破断することができる。開封フラップ５７５を破断した後、ディスペンサセクション５７７をディスペンサパターン５７０に沿ってカートン５９０の残り部分から分離させてもよい。縦方向引き裂き線５７６に達した後、ディスペンサセクション５７７をカートン５９０にヒンジ式に取り付けたままにすることができる。代替として、ディスペンサセクション５７７を水平方向に引っ張って、ディスペンサセクション５７７をカートン４９０の残り部分から完全に除去してもよい。
【００７０】
図３０は、ディスペンサセクション５７７を除去した状態にある開封済みカートン及びディスペンサ特徴部を示す。開封済みカートン５９０は、カートン５９０の上部、両側部及び一端部から容器Ｃにアクセスすること、及びそれらを見ることを可能にする。カートン５９０は、カートン５９０の端部パネル５９２、５９４内のハンドル穴５１８によって容易に運搬されることができる。カートン５９０を開封した後でも、カートン５９０は、高い強度及び剛度を与える高いサイドパネルを有する。
【００７１】
図２４及び図２９にそれぞれ示すディスペンサセクション４７７及び５７７の長さＬＤ及びＬＥを変更し、それにより、カートン４９０、５９０に異なったディスペンサ特性を与えることができる。上限では、ディスペンサの長さＬＤ及びＬＥをカートンＬＣの長さにほぼ等しくすることができ、この場合、ディスペンサセクションはカートンの全長にわたる。本発明の一態様では、カートンの長さに対するディスペンサセクションの長さの比は、約０．２乃至０．９の範囲にある。別の態様では、カートンの長さに対するディスペンサセクションの長さの比は、約０．３乃至０．７の範囲にある。図２４及び図２９に示すディスペンサセクションの角度αＤ及びαＥは、約１０度乃至約７０度の範囲にある。本発明の別の態様では、ディスペンサセクションの角度は、約１５度乃至約５５度の範囲にある。さらに別の態様では、ディスペンサセクションの角度は、約１５度乃至約４５度の範囲にある。
【００７２】
上記の実施形態では、カートンは、「長首形」ガラス飲料瓶を収容するものとして示されている。しかしながら、他のタイプの物品を本発明によるカートン内に収容することができる。これらの物品は、プラスチック瓶、金属缶と共に、形状がほぼ円筒形であり得る他の容器、たとえば食品の包装に使用されるものを含むことができる。たとえば、さまざまな容器の形式、形状、サイズ又は量に適応させるために、ブランク、及びブランクから形成される対応のカートンの寸法も変更してもよい。
【００７３】
本発明の種々の実施形態を説明するために、上述のカートンは、２×６構成又は３×４構成で１２個の物品又は容器を収容するようなサイズ及び寸法である。本発明はいかなる特定のサイズ、寸法又はカートンの形状にも限定されない。例えば、本発明は、４×３、２×４、２×５、４×６、４×５、３×６、５×６、６×２等、他の構成の物品を保持するようなサイズ及び形状にされる場合でも、満足な働きをするであろう。
【００７４】
例示的な実施形態のカートンは、４つのダイヤモンド形コーナを有する。本明細書で使用する「ダイヤモンド形コーナ」という用語は、必ずしも完全な幾何学的「ダイヤモンド」形状を表さない。反対に、本明細書に開示されているダイヤモンド形コーナは、当該技術分野において一般的に既知であるような概略的ダイヤモンド形状を有する。
【００７５】
上述の例示的な実施形態では、ブランクは、クレーコート新聞用紙（clay-coated newsprint）（ＣＣＮ）から形成することができる。概して、ブランクは、通常の紙よりも重く硬質であるように、少なくとも約１４ポイントの厚さを有する板紙で構成されることができる。例えば、ブランクの厚さは約１６から約２２ポイントの範囲であることができる。ブランク、したがってカートンは、厚紙等の他の材料、又はカートンが少なくとも概ね上述のように機能できるようにするのに適した特性を有する任意の他の材料で構成することもできる。ブランクの第１の面及び第２の面は、例えばクレーコートでコーティングすることができる。続いて、クレーコートの上には、製品、広告、値段コード及び他の情報又は画像を印刷してもよい。続いて、ブランクに印刷された情報を保護するために、ブランクをワニスでコーティングしてもよい。ブランクは、例えば、ブランクの片面又は両面を防湿層でコーティングすることもできる。ブランクは、選択されたパネル、パネルセクション又はブランク全体に１つ若しくは複数のシート状材料を積層又はコーティングすることもできる。シート状材料の非限定的な例として、装飾フィルム、保護フィルム、バリアフィルム、又はそれらの所望の使用に適した他のタイプのプラスチックフィルムの混合物を含むことができる。
【００７６】
例示的な実施形態によれば、折り線は、それに沿った折り曲げを容易にする、必ずしも直線状ではないがほぼ直線状の任意の弱化形態であり得る。本発明の範囲を狭めるためではないが、より詳細には、折り線は、所望の脆弱線に沿って材料に圧潰部分を作る鈍いスコアリングナイフ等で形成される線等の切り込み線、所望の脆弱線に沿って材料の厚さを貫通しない切れ目、及び／又は所望の脆弱線に沿って材料の厚さを貫通しない一連の切れ目及び／又は厚さを貫通する一連の切れ目、並びにこれらの特徴の種々の組み合わせを含む。
【００７７】
引裂き線は、それに沿った引裂きを容易にする、必ずしも直線状ではないがほぼ直線状の任意の弱化形態であり得る。本発明の範囲を狭めるためではないが、具体的には、引裂き線は、所望の脆弱線に沿って材料の厚さを貫通しない切れ目、及び／若しくは所望の脆弱線に沿って材料の厚さを貫通しない一連の切れ目及び／若しくは厚さを貫通する一連の切れ目、又はこれらの特徴の種々の組み合わせを含む。より具体的な例としては、１つのタイプの引裂き線は、ブリッジにやや似た材料の小片（たとえば「刻み目」）が間に画定されるように隣接する切れ目をわずかに離間させた、材料の厚さを貫通する一連の切れ目の形態である。刻み目は、引裂き時に引裂き線に沿って破断される。通常は刻み目が切れ目に対して比較的小さいため、刻み目を含むこのような引裂き線は切断線とも呼ぶことができる。
【００７８】
本明細書で使用する場合、「線」という用語は、直線だけでなく、湾曲線、曲線、又は角変位線等、他のタイプの線及び隣接する線分の組み合わせも含む。
【００７９】
上記の実施形態は、糊によって互いに貼り合わせられる１つ又は複数のパネルを有するものとして説明されている場合がある。「糊」という用語は、板紙カートンパネルを所定位置に固定するのに一般的に用いられるあらゆる種類の接着剤を包含することが意図される。
【００８０】
本発明の上記の説明は、本発明を例示及び説明するものである。さらに、本開示は、本発明の選択された実施形態のみを図示及び説明しているが、本発明は、種々の他の組み合わせ、変更形態、及び環境で用いることができ、本明細書で述べられているような本発明の概念の範囲内で変形若しくは変更を行うことができ、上記の教示と同等であり、且つ／又は関連技術の技術若しくは知識内にあることを理解されたい。
【図面の簡単な説明】
【００８１】
【図１】本発明の第１の実施形態によるディスペンサセクションを有するカートンを形成するブランクの平面図である。
【図２】第１のカートンの実施形態を形成する折り曲げ且つ接着済みブランクの平面図である。
【図３】部分的に組み立て、且つ容器を装填した第１のカートンの実施形態の端面図である。
【図４】第１のカートンの実施形態の一方側部を示す斜視図である。
【図５】第１のカートンの実施形態の反対側部を示す図である。
【図６】図５に示された側部と反対のカートンの側部を示す図である。
【図７】第１のカートンの実施形態の開封を示す図である。
【図８】開封済みの第１のカートンの実施形態の斜視図である。
【図９】本発明の第２の実施形態によるディスペンサセクションを有するカートンを形成するブランクの平面図である。
【図１０】第２のカートンの実施形態の一方側部を示す斜視図である。
【図１１】第２のカートンの実施形態の反対側部を示す図である。
【図１２】カートンの開封後の第２のカートンの実施形態の一方側部を示す図である。
【図１３】開封済みの第２のカートンの実施形態の反対側部を示す図である。
【図１４】本発明の第３の実施形態によるディスペンサセクションを有するカートンを形成するブランクの平面図である。
【図１５】第３のカートンの実施形態の一方側部を示す図である。
【図１６】第３のカートンの実施形態の反対側部を示す図である。
【図１７】第３のカートンの実施形態のハンドル運搬特徴部の使用を示す図である。
【図１８】カートンの開封後の第３のカートンの実施形態を示す図である。
【図１９】本発明の第４の実施形態によるディスペンサセクションを有するカートンを形成するブランクの平面図である。
【図２０】第４のカートンの実施形態の一方側部を示す図である。
【図２１】開封後の第４のカートンの実施形態を示す図である。
【図２２】本発明の第５の実施形態によるディスペンサセクションを有するカートンを形成するブランクの平面図である。
【図２３】第５のカートンの実施形態の斜視図である。
【図２４】第５のカートンの実施形態の一方側部を示す図である。
【図２５】第５のカートンの実施形態の開封を示す図である。
【図２６】開封後であって、ディスペンサセクションがヒンジ式に取り付けられている状態にある第５のカートンの実施形態の端面図である。
【図２７】開封後の第５のカートンの実施形態の斜視図である。
【図２８】本発明の第６の実施形態によるディスペンサセクションを有するカートンを形成するブランクの平面図である。
【図２９】第６のカートンの実施形態の一方側部を示す斜視図である。
【図３０】開封後の第６のカートンの実施形態の斜視図である。
【図１】
2008532872.tif 000003
【図２】
2008532872.tif 000004
【図３】
2008532872.tif 000005
【図４】
2008532872.tif 000006
【図５】
2008532872.tif 000007
【図６】
2008532872.tif 000008
【図７】
2008532872.tif 000009
【図８】
2008532872.tif 000010
【図９】
2008532872.tif 000011
【図１０】
2008532872.tif 000012
【図１１】
2008532872.tif 000013
【図１２】
2008532872.tif 000014
【図１３】
2008532872.tif 000015
【図１４】
2008532872.tif 000016
【図１５】
2008532872.tif 000017
【図１６】
2008532872.tif 000018
【図１７】
2008532872.tif 000019
【図１８】
2008532872.tif 000020
【図１９】
2008532872.tif 000021
【図２０】
2008532872.tif 000022
【図２１】
2008532872.tif 000023
【図２２】
2008532872.tif 000024
【図２３】
2008532872.tif 000025
【図２４】
2008532872.tif 000026
【図２５】
2008532872.tif 000027
【図２６】
2008532872.tif 000028
【図２７】
2008532872.tif 000029
【図２８】
2008532872.tif 000030
【図２９】
2008532872.tif 000031
【図３０】
2008532872.tif 000032
【手続補正書】
【提出日】平成19年3月15日(2007.3.15)
【手続補正１】
【補正対象書類名】特許請求の範囲
【補正対象項目名】全文
【補正方法】変更
【補正の内容】
【特許請求の範囲】
【請求項１】
カートン、及びその内部に収容された複数の物品であって、該カートンは、
ボトムパネルと、
第１の下側サイドパネル及び第１の上側サイドパネルを有する第１のサイドパネルと、
第２の下側サイドパネル及び第２の上側サイドパネルを有する第２のサイドパネルと、
トップパネルと、
第１の端部パネルと、
第２の端部パネルと
を有し、ディスペンサパターンが、少なくとも該第１の上側サイドパネル、該トップパネル及び該第２の上側サイドパネル内にディスペンサセクションを画定する、カートン。
【請求項２】
前記ディスペンサパターンは、前記第１の上側サイドパネルを前記第１の下側サイドパネルに接続する第１の折り線に沿って、又はそれに隣接して延びる第１の横方向引き裂き線を有する、請求項１に記載のカートン。
【請求項３】
前記ディスペンサパターンは、前記第２の上側サイドパネルを前記第２の下側サイドパネルに接続する第２の折り線に沿って延びる第２の横方向引き裂き線を有する、請求項２に記載のカートン。
【請求項４】
前記ディスペンサパターンは、前記第１の上側サイドパネル内に開封セクションを画定する複数の開封線を有する、請求項３に記載のカートン。
【請求項５】
前記開封セクションは、前記第１の折り曲げ線に隣接している、請求項４に記載のカートン。
【請求項６】
前記ディスペンサパターンは、前記カートンの第１の上縁部に沿って延びる第１の縦方向引き裂き線と、該カートンの第２の上縁部に沿って延びる第２の縦方向引き裂き線とを有する、請求項３に記載のカートン。
【請求項７】
前記第１の端部パネルは、第１のダイヤモンド形コーナで前記第１のサイドパネルに接続され、且つ第２のダイヤモンド形コーナで前記第２のサイドパネルに接続される、請求項３に記載のカートン。
【請求項８】
前記ディスペンサパターンは、前記第２の上側サイドパネル内に開封セクションを画定する複数の開封線を有する、請求項２に記載のカートン。
【請求項９】
前記開封セクションは、前記トップパネルに隣接している、請求項８に記載のカートン。
【請求項１０】
前記ディスペンサパターンは、前記カートンの第１の上縁部に沿って延びる第１の縦方向引き裂き線と、該カートンの第２の上縁部に沿って延びる第２の縦方向引き裂き線とを有する、請求項８に記載のカートン。
【請求項１１】
前記第１の端部パネルは、第１のダイヤモンド形コーナで前記第１のサイドパネルに接続され、且つ第２のダイヤモンド形コーナで前記第２のサイドパネルに接続される、請求項８に記載のカートン。
【請求項１２】
前記ディスペンサセクションは、前記第１の端部パネル内にさらに画定される、請求項１に記載のカートン。
【請求項１３】
前記ディスペンサパターンは、前記第１のサイドパネルの端から端まで延びる第１の斜め引き裂き線と、前記第２サイドパネルの端から端まで延びる第２の斜め引き裂き線とを有する、請求項１２に記載のカートン。
【請求項１４】
前記ディスペンサパターンは、前記トップパネルの端から端まで延びると共に前記第１の斜め引き裂き線及び前記第２の斜め引き裂き線を接続するトップ引き裂き線を有する、請求項１３に記載のカートン。
【請求項１５】
前記ディスペンサセクションは、前記トップパネル内へ長さＬだけ延びており、前記カートンの長さはＬＣであり、Ｌ／ＬＣは少なくとも０．２である、請求項１２に記載のカートン。
【請求項１６】
前記第１の端部パネルは、第１のダイヤモンド形コーナで前記第１のサイドパネルに接続され、且つ第２のダイヤモンド形コーナで前記第２のサイドパネルに接続される、請求項１２に記載のカートン。
【請求項１７】
前記第１の端部パネルは、第１のダイヤモンド形コーナで前記第１のサイドパネルに接続され、且つ第２のダイヤモンド形コーナで前記第２のサイドパネルに接続される、請求項１に記載のカートン。
【請求項１８】
前記ボトムパネルは、前記トップパネルより幅広である、請求項１７に記載のカートン。
【請求項１９】
前記ディスペンサパターンは、前記第１の上側サイドパネル内に開封セクションを画定する複数の開封引き裂き線を有し、該開封セクションは、前記第１のサイドパネルの長さに沿って測定した幅が、該第１のサイドパネルの該長さの少なくとも約０．４倍である、請求項１８に記載のカートン。
【請求項２０】
前記ディスペンサパターンは、前記第２の上側サイドパネル内に開封セクションを画定する複数の開封引き裂き線を有し、該開封セクションは、前記第２のサイドパネルの長さに沿って測定した幅が、該第２のサイドパネルの該長さの少なくとも約０．４倍である、請求項１８に記載のカートン。
【請求項２１】
前記ディスペンサパターンは、前記第１の上側サイドパネル内に開封セクションを画定する複数の開封引き裂き線を有し、該開封セクションは、前記第１のサイドパネルの長さに沿って測定した幅が、該第１のサイドパネルの該長さの少なくとも約０．４倍である、請求項１に記載のカートン。
【請求項２２】
前記ディスペンサパターンは、前記第２の上側サイドパネル内に開封セクションを画定する複数の開封引き裂き線を有し、該開封セクションは、前記第２のサイドパネルの長さに沿って測定した幅が、該第２のサイドパネルの該長さの少なくとも約０．４倍である、請求項１に記載のカートン。
【請求項２３】
前記第１の端部パネル内に形成された第１のハンドルと、前記第２の端部パネル内に形成された第２のハンドルとをさらに有する、請求項１に記載のカートン。
【請求項２４】
請求項１に記載のカートンを開封する方法であって、
前記第１の上側サイドパネルのほぼ全体が前記カートンの残り部分から少なくとも部分的に引き裂かれて離れるように、前記ディスペンサセクションを引っ張ること、
前記トップパネルのほぼ全体が該カートンの残り部分から少なくとも部分的に引き裂かれて離れるように、前記ディスペンサセクションを引っ張ること、及び
前記第２のサイドパネルの一部分が該カートンの残り部分から少なくとも部分的に引き裂かれて離れるように、前記ディスペンサセクションを引っ張ること
を含む、カートンを開封する方法。
【請求項２５】
カートンを形成するブランクであって、
ボトムパネルと、
第１の下側サイドパネル、及び該第１のサイドパネルに折り曲げ可能に接続されている第１の上側サイドパネルを有する第１のサイドパネルと、
第２の下側サイドパネル、及び該第２のサイドパネルに折り曲げ可能に接続されている第２の上側サイドパネルを有する第２のサイドパネルと、
トップパネルと、
該ブランクの第１の周辺領域に沿って延びる複数の第１の端部フラップと、
該ブランクの第２の周辺領域に沿って延びる複数の第２の端部フラップと
を有し、ディスペンサパターンが、少なくとも該第１の上側サイドパネル、該トップパネル及び該第２の上側サイドパネル内にディスペンサセクションを画定する、ブランク。
【請求項２６】
前記ディスペンサパターンは、前記第１の上側サイドパネルを前記第１の下側サイドパネルに接続する第１の折り線に沿って、又はそれに隣接して延びる第１の横方向引き裂き線を有する、請求項２５に記載のブランク。
【請求項２７】
前記ディスペンサパターンは、前記第２の上側サイドパネルを前記第２の下側サイドパネルに接続する第２の折り線に沿って延びる第２の横方向引き裂き線を有する、請求項２６に記載のブランク。
【請求項２８】
前記ディスペンサパターンは、前記第１の上側サイドパネル内に開封セクションを画定する複数の開封線を有する、請求項２７に記載のブランク。
【請求項２９】
前記開封セクションは、前記第１の折り曲げ線に隣接している、請求項２８に記載のブランク。
【請求項３０】
前記ディスペンサパターンは、前記第１の周辺領域に隣接して延びる第１の縦方向引き裂き線と、前記第２の周辺領域に隣接して延びる第２の縦方向引き裂き線とを有する、請求項２７に記載のブランク。
【請求項３１】
ダイヤモンド形コーナが、前記ブランクの前記第１のサイドパネルの各端部に形成される、請求項２７に記載のブランク。
【請求項３２】
前記ディスペンサパターンは、前記第２の上側サイドパネル内に開封セクションを画定する複数の開封線を有する、請求項２６に記載のブランク。
【請求項３３】
前記開封セクションは、前記トップパネルに隣接している、請求項３２に記載のブランク。
【請求項３４】
前記ディスペンサパターンは、前記第１の周辺領域に隣接して延びる第１の縦方向引き裂き線と、前記第２の周辺領域に隣接して延びる第２の縦方向引き裂き線とを有する、請求項３２に記載のブランク。
【請求項３５】
ダイヤモンド形コーナが、前記ブランクの前記第１のサイドパネルの各端部に形成される、請求項３２に記載のブランク。
【請求項３６】
前記ディスペンサセクションは、前記第１の端部パネル内にさらに画定される、請求項２５に記載のブランク。
【請求項３７】
前記ディスペンサパターンは、前記第１のサイドパネルの端から端まで延びる第１の斜め引き裂き線と、第２サイドパネルの端から端まで延びる第２の斜め引き裂き線とを有する、請求項３６に記載のブランク。
【請求項３８】
前記ディスペンサパターンは、前記トップパネルの端から端まで延びると共に前記第１の斜め引き裂き線及び前記第２の斜め引き裂き線を接続するトップ引き裂き線を有する、請求項３７に記載のブランク。
【請求項３９】
前記ディスペンサセクションは、前記トップパネル内へ長さＬだけ延びており、該トップパネルの長さはＬＣであり、Ｌ／ＬＣは少なくとも０．２である、請求項３６に記載のブランク。
【請求項４０】
ダイヤモンド形コーナが、前記ブランクの前記第１のサイドパネルの各端部に形成される、請求項３６に記載のブランク。
【請求項４１】
ダイヤモンド形コーナが、前記ブランクの前記第１のサイドパネルの各端部に形成される、請求項２５に記載のブランク。
【請求項４２】
前記ボトムパネルは、前記トップパネルより幅広である、請求項４１に記載のブランク。
【請求項４３】
前記ディスペンサパターンは、前記第１の上側サイドパネル内に開封セクションを画定する複数の開封引き裂き線を有し、該開封セクションは、前記第１のサイドパネルの長さに沿って測定した幅が、該第１のサイドパネルの該長さの少なくとも約０．４倍である、請求項４２に記載のブランク。
【請求項４４】
前記ディスペンサパターンは、前記第２の上側サイドパネル内に開封セクションを画定する複数の開封引き裂き線を有し、該開封セクションは、前記第２のサイドパネルの長さに沿って測定した幅が、該第２のサイドパネルの該長さの少なくとも約０．４倍である、請求項４２に記載のブランク。
【請求項４５】
前記ディスペンサパターンは、前記第１の上側サイドパネル内に開封セクションを画定する複数の開封引き裂き線を有し、該開封セクションは、前記第１のサイドパネルの長さに沿って測定した幅が、該第１のサイドパネルの該長さの少なくとも約０．４倍である、請求項２５に記載のブランク。
【請求項４６】
前記ディスペンサパターンは、前記第２の上側サイドパネル内に開封セクションを画定する複数の開封引き裂き線を有し、該開封セクションは、前記第２のサイドパネルの長さに沿って測定した幅が、該第２のサイドパネルの該長さの少なくとも約０．４倍である、請求項２５に記載のブランク。
【請求項４７】
前記第１の端部パネル内に形成された第１のハンドルと、前記第２の端部パネル内に形成された第２のハンドルとをさらに有する、請求項２５に記載のブランク。
【請求項４８】
前記第１のサイドパネルの前記第１の上側サイドパネルは、該第１のサイドパネルの前記下側サイドパネルに折り曲げ可能に接続され、前記第２のサイドパネルの前記第１の上側サイドパネルは、該第２のサイドパネルの前記下側サイドパネルに折り曲げ可能に接続される、請求項１に記載のカートン。
【請求項４９】
前記ディスペンサパターンは、前記ディスペンサセクションを少なくとも部分的に除去するための少なくとも１つの引き裂き線を有し、該ディスペンサパターンは、該ディスペンサセクションを把持すると共に引き裂くための開封フラップを形成する少なくとも１つの開封線を有する、請求項１に記載のカートン。
【請求項５０】
前記開封フラップは、前記第１のサイドパネル及び前記第２のサイドパネルの一方内にある、請求項４９に記載のカートン。
【請求項５１】
前記開封フラップは、前記第１の端部パネル及び前記第２の端部パネルの一方内にある、請求項４９に記載のカートン。
【請求項５２】
前記少なくとも１つの開封線は、少なくとも１つの折り線を有する、請求項４９に記載のカートン。
【請求項５３】
前記第１のサイドパネルの前記第１の上側サイドパネルは、該第１のサイドパネルの前記下側サイドパネルに折り曲げ可能に接続され、前記第２のサイドパネルの前記第１の上側サイドパネルは、前記第２のサイドパネルの前記下側サイドパネルに折り曲げ可能に接続される、請求項２５に記載のブランク。
【国際調査報告】
2008532872.tif 000033
2008532872.tif 000034
2008532872.tif 000035